(57)【要約】  【課題】  柱と土台等の横材を確実に接合することができ、剪断や引き抜き等の外力に対応して耐久的な接合装置を提供する。  【解決手段】  土台１に縦設した係合穴３に円筒状の接合金具４を嵌挿して止着する。該接合金具４の前記土台１より突出する上部を係合した柱９には前記接合金具４の軸線上に位置させて組付け杆１２を装置する。該組付け杆１２と前記接合金具４を前記柱９に挿着した接合ピン１５で互いに接続する。そして、組付け杆１２の下部に備えた鍔部片１２ｂの周端部１２ｂ´を、前記柱９と前記土台１にまたがる位置に配して前記接合金具４の内周面に接触させる。【選択図】    図１
2008169664.tif 000002
【特許請求の範囲】
【請求項１】
横材に縦設した係合穴に円筒状の接合金具を嵌挿して止着し、該接合金具の前記横材より突出する上部を係合した柱には前記接合金具の軸線上に位置させて組付け杆を装置し、該組付け杆と前記接合金具を前記柱に挿着した接合ピンで互いに接続すると共に、組付け杆の下部に備えた鍔部片の周端部を、前記柱と前記横材にまたがる位置に配して前記接合金具の内周面に接触させた、木造建物における柱と横材の接合装置。
【請求項２】
接合ピンを鍔部片の上側に隣接させて配した、請求項１記載の木造建物における柱と横材の接合装置。
【発明の詳細な説明】
【技術分野】
【０００１】
この発明は木造建物の軸組を構成する柱と横材の接合装置に関するものである。
【背景技術】
【０００２】
木造建物の軸組装置において、柱と土台、梁等の横材を、接合金具を用いて接合する構造のものは、種々提案されているが、接合金具をパイプ体（筒体）で構成し、該パイプ体を柱と土台に設けた係合穴内嵌挿し、該パイプ体を通じてドリフトピンを前記柱又は土台に嵌挿して接合する構造のものがある（例えば、特許文献１）。
【０００３】
【特許文献１】特開平９−６０１１３号公報
【発明の開示】
【発明が解決しようとする課題】
【０００４】
前記従来構造のものは、引き抜きや剪断等の外力が柱に作用すると、パイプである接合金具を止着したドリフトピンを中心に柱が揺動しようとして接合強度が損なわれる場合がある。
【０００５】
本発明は、パイプ体で構成した接合金具を適用した接合装置の接合強度を高め、従って、耐久的な装置を提供することを目的として創案したものである。
【課題を解決するための手段】
【０００６】
横材に縦設した係合穴に円筒状の接合金具を嵌挿して止着し、該接合金具の前記横材より突出する上部を係合した柱には前記接合金具の軸線上に位置させて組付け杆を装置し、該組付け杆と前記接合金具を前記柱に挿着した接合ピンで互いに接続すると共に、組付け杆の下部に備えた鍔部片の周端部を、前記柱と前記横材にまたがる位置に配して前記接合金具の内周面に接触させたことを基本的手段とし、この基本的手段に接合ピンを鍔部片の上側に隣接させて配した点を付加することにより耐引き抜き力の有る装置を提供するようにしたのである。
【発明の効果】
【０００７】
本発明によれば、柱と土台等の横材を確実に接合することができ、接合状態にあって剪断や引き抜き等の外力が作用しても鍔部片の接合金具に対する接触によって当該外力に対応して耐久的な接合装置を得ることができる。
【実施例】
【０００８】
図面は本発明に係る木造建物における柱と横材の接合装置の一実施例を示し、図１は一部欠截正面図、図２は図１のｘ−ｘ線断面図、図３は柱下部の断面図、図４は第二実施例の一部欠截正面図である。
【０００９】
図中、１は基礎コンクリート２上に載置した土台で、土台１は上面側を開口して縦設した係合穴３と該係合穴３の底壁中央に設けて係合穴３の底壁側と外部とを連通する貫通孔３´を備えて成るものである。
【００１０】
この土台１の前記係合穴３に該係合穴３とほぼ同径の有底円筒体で成る接合金具４の下部を嵌挿し、該接合金具４の底板４ａに設けた透孔５に前記基礎コンクリート２にアンカー部を埋設して立設したアンカーボルト６の先（上）端６ａを前記貫通孔３´を通じて貫通させて、接合金具４を介して前記係合穴３内に突出させ、該先端６ａに座金７を介して締付けナット８を螺合し、基礎コンクリート２に土台１、およびこれに組合わせた接合金具４を締付けてある。
【００１１】
接合金具４は、実施例のように必ずしも有底のものを用いる必要はないが、有底のものを用いることによりアンカーボルト６や連結ボルト６Ａ（後記第二実施例の場合）を用いて横材（土台１や横架材１０１）に締付けることができ、すなわち、柱の引き抜きに抗する方向に締付けることができるから、前記文献記載のドリフトピンを用いる場合よりも耐引き抜き性を期待できる。
【００１２】
そして、土台１より突出する、接合金具４の上部は、前記土台１上に立設した柱９の下面に設けた該上部と同径の円形状のスリット１０（係合）に嵌挿してある。接合金具４上部のスリット１０との組合わせ関係により、接合金具４（の上部）の内側にはスリット１０で区画された柱９の部分９ａが嵌合され、すなわち接合金具４は中実状となって接合金具４を補強し、部分９ａの存在によって変形しにくくなる。もっとも、スリット１０に代えて所謂穴と成してこれに接合金具４を係合しても本発明の実施に不都合はない。
【００１３】
柱９は、下面中央に、前記接合金具４の円筒形と同軸上に位置するように設けた縦穴１１と、この縦穴１１と同軸上に位置するようにして該縦穴１１を取り囲むようにして設けた前記スリット１０とを備えたものである。この柱９の縦穴１１に管体で成る組付け杆１２を嵌挿し、該組付け杆１２の周側に交互に直角方向にして設けた通し孔１３を柱９に設けた貫通孔１４に一致させ、これらに接合ピン１５を嵌挿して前記組付け杆１２を柱９に固着してある。
【００１４】
柱９に固着した組付け杆１２は、パイプ状本体１２ａの下端部に有底円形短筒状の鍔部片１２ｂを熔接して構成したもので、本体１２ａを、前記の通り、柱９側の縦穴１１に嵌挿してピン１５によって柱９に固着し、鍔部片１２ｂを柱９下面に、前記縦穴１１と前記スリット１０との連通位置にある凹入部１６に部分的に嵌合するようにして柱９に組付けたものである。
【００１５】
そして、組付け杆１２の鍔部片１２ｂは、その外径が前記接合金具４の内径と略一致して該接合金具４に収納され、その収納状態にあっては、柱９の下面より突出した下部が接合金具４を介して、前記土台１に設けた係合孔３に嵌挿され、周端部１２ｂ´が土台１と柱９との境界すなわち土台１と柱９にまたがる位置に配されている。
【００１６】
この鍔部片１２ｂに隣接する、組付け杆本体１２ａ部に通し孔１３Ａを設け、前記柱９の下端部には該通し孔１３Ａと一致する位置にして貫通孔１４Ａを設け、これらに接合金具４に設けた通し孔１８を通じて接合杆１５Ａを嵌装して柱９を土台１に互いに接合してある。
【００１７】
土台１と柱９の接合作業は、基礎コンクリート２上に土台１を載置して接合金具４を土台１に組付けてアンカーボルト６とこれに螺合した締付けナット８によって締付けて土台１を基礎コンクリート２上に配設する一方、組付け杆１２をドリフトピン１５を用いて固着した柱９の下部のスリット１０に、土台１より突出した接合金具４を嵌挿するようにして柱９を土台１上に配置し、互いに一致する通し孔１３Ａと貫通孔１４Ａ（これらの位置合わせは、土台１と柱９の見込み幅が同幅であることを利用して行う）に、接合杆１５Ａを嵌挿打込むことによって終了する。
【００１８】
図４で示す第二実施例は、土台１に代えて梁等の横架材１０１を用い、該横架材１０１に上下の管柱９０，９０´を接合したもので、横架材１０１の上下両面に第一実施例と同様に係合穴３を設け、係合穴３同士を連通する貫通孔３´に前記アンカーボルト６に代る連結ボルト６Ａを貫通させ、各係合穴３に嵌挿した接合金具４の底板４ａを通じて該接合金具４内に連結ボルト６Ａの端部を突出させ、該端部に締付けナット８を螺合締付けて横架材１０１の上下両面に接合金具４を第一実施例のように部分的に突出させ、前記下管柱９０´の上面に設けたスリット１０に接合金具４を嵌挿し、そして、通し孔１３Ａ等に接合杆１５Ａを嵌挿して下管柱９０´上に横架材１０１を載置する一方、該横架材１０１上に第一実施例と同様に上管柱９０を接合して構成したもので、各部の構成等は同一符号で示す通り、矛盾のない限り第一実施例と同様であるので説明を省略する。すなわち、上管柱９０と横架材１０１との接合は、第一実施例のアンカーボルト６に代えて連結ボルト６Ａを、土台１に代えて横架材１０１としただけが異なるだけで、下管柱９０´と横架材１０１との接合は、上記上管柱９０と横架材１０１との関係を反転させた関係にして構成したものであるから、説明は省略する。
【図面の簡単な説明】
【００１９】
【図１】一部欠截正面図。
【図２】図１のｘ−ｘ線断面図。
【図３】柱下部の断面図。
【図４】第二実施例の一部欠截正面図。
【符号の説明】
【００２０】
１          土台
３          係合穴
４          接合金具
９          柱
１２        組付け杆
１２ｂ      鍔部片
１２ｂ´    周端部
【図１】
2008169664.tif 000003
【図２】
2008169664.tif 000004
【図３】
2008169664.tif 000005
【図４】
2008169664.tif 000006